(57)【要約】【課題】放送番組のロゴによって、利用者に対して画面上で放送番組を迅速かつ容易に認識させることが可能な情報処理装置及び情報処理方法を提供すること。【解決手段】放送番組のコンテンツデータを含む放送信号を受信するコンテンツ受信部１１２と、放送番組に関するメタ情報を、ネットワークを介して受信するメタ情報受信部１１４と、メタ情報から放送番組のロゴに関する情報を抽出する抽出部１４１と、ロゴをロゴに関する情報に基づいて表示部に表示する表示制御部１２０とを有することを特徴とする。【選択図】図２
2010028547.tif 000002
【特許請求の範囲】
【請求項１】
放送番組のコンテンツデータを含む放送信号を受信するコンテンツ受信部と、
前記放送番組に関するメタ情報を、ネットワークを介して受信するメタ情報受信部と、
前記メタ情報から前記放送番組のロゴに関する情報を抽出する抽出部と、
前記ロゴを前記ロゴに関する情報に基づいて表示部に表示する表示制御部と
を有する、情報処理装置。
【請求項２】
前記ロゴに関する情報は、前記ロゴのアスペクト比と、前記ロゴを表示するとき前記ロゴのアスペクト比を維持するか否かの情報を含む、請求項１に記載の情報処理装置。
【請求項３】
前記ロゴに関する情報は、前記ロゴの背景に表示する背景色を指定するか否かの情報を含む、請求項１又は２に記載の情報処理装置。
【請求項４】
前記ロゴに関する情報は、前記背景色を指定するときの前記背景色の情報を含む、請求項３に記載の情報処理装置。
【請求項５】
前記表示制御部は、前記ロゴを前記表示部の画面の所定位置に固定して表示する、請求項１〜３のいずれかに記載の情報処理装置。
【請求項６】
前記抽出部は、前記メタ情報から前記放送番組に関するテキスト情報を抽出し、
前記表示制御部は、
前記テキスト情報を前記表示部の画面で移動可能に表示し、
前記テキスト情報の移動に関わらず、前記ロゴを前記表示部の画面の所定位置に固定して表示する、請求項１〜３のいずれかに記載の情報処理装置。
【請求項７】
コンテンツ受信部が放送番組のコンテンツデータを含む放送信号を受信するステップと、
メタ情報受信部が前記放送番組に関するメタ情報を、ネットワークを介して受信するステップと、
抽出部が前記メタ情報から前記放送番組のロゴに関する情報を抽出するステップと、
表示制御部が前記ロゴを前記ロゴに関する情報に基づいて表示部に表示するステップと
を有する、情報処理方法。
【請求項８】
放送番組のコンテンツデータを含む放送信号を受信する手段、
前記放送番組に関するメタ情報を、ネットワークを介して受信する手段、
前記メタ情報から前記放送番組のロゴに関する情報を抽出する手段、
前記ロゴを前記ロゴに関する情報に基づいて表示部に表示する手段
としてコンピュータを機能させるためのプログラム。
【発明の詳細な説明】
【技術分野】
【０００１】
本発明は、情報処理装置及び情報処理方法に関する。
【背景技術】
【０００２】
テレビジョン受像機や、いわゆるレコーダである録画再生装置などは、放送信号によって放送番組を受信する。また、テレビジョン受像機や、いわゆるレコーダは、インターネットなどのネットワークに接続されて、サーバ装置から配信された放送番組を受信したり、放送番組に関する情報（ＥＣＧ：Electronic  Content  Guide）を受信したりする。
【０００３】
ＥＣＧには、放送番組の内容に関する情報、識別情報、チャンネル、放送時刻だけでなく、番組のジャンル、出演者、出演した店舗、番組構成、協賛会社、更には出演者が着用した衣服に関する情報など様々な情報が含まれる。
【０００４】
【特許文献１】特開２００７−１８９７４１号公報
【発明の開示】
【発明が解決しようとする課題】
【０００５】
ところで、記録再生装置は、受信した放送番組の内容などをハードディスク、ブルーレイディスクなどの記録媒体に記録可能である。また、記録再生装置は、液晶ディスプレイなどの表示装置と接続され、録画タイトルリスト、予約番組リスト、番組説明、番組表などを表示装置に表示することができる。
【０００６】
ここで、録画タイトルリストは、記録済みの番組が一覧表示されたリストをいい、予約番組リストは、録画予約された番組が一覧表示されたリストをいう。また、番組説明は、記録済みの番組又は将来放送される番組の内容の説明をいい、番組表は、将来放送される番組の一覧表をいう。
【０００７】
そして、録画タイトルリスト、予約番組リスト、番組説明、番組表などの画面表示において、１つ１つの番組は、番組名が文字のみで表示されてきた。そのため、利用者は、画面に表示された番組を識別するためには、文字で表示された番組名を読む必要があった。ところが、番組名が文字で表示されただけでは、画面に表示された番組を一瞥して認識することは困難であった。
【０００８】
そこで、本発明は、上記問題に鑑みてなされたものであり、本発明の目的とするところは、放送番組のロゴによって、利用者に対して画面上で放送番組を迅速かつ容易に認識させることが可能な、新規かつ改良された情報処理装置及び情報処理方法を提供することにある。
【課題を解決するための手段】
【０００９】
上記課題を解決するために、本発明のある観点によれば、放送番組のコンテンツデータを含む放送信号を受信するコンテンツ受信部と、放送番組に関するメタ情報を、ネットワークを介して受信するメタ情報受信部と、メタ情報から放送番組のロゴに関する情報を抽出する抽出部と、ロゴをロゴに関する情報に基づいて表示部に表示する表示制御部とを有する情報処理装置が提供される。
【００１０】
上記ロゴに関する情報は、ロゴのアスペクト比と、ロゴを表示するときロゴのアスペクト比を維持するか否かの情報を含んでもよい。
【００１１】
上記ロゴに関する情報は、ロゴの背景に表示する背景色を指定するか否かの情報を含んでもよい。また、上記ロゴに関する情報は、背景色を指定するときの背景色の情報を含んでもよい。
【００１２】
上記表示制御部は、ロゴを表示部の画面の所定位置に固定して表示してもよい。また、上記抽出部は、メタ情報から放送番組に関するテキスト情報を抽出し、表示制御部は、テキスト情報を表示部の画面で移動可能に表示し、テキスト情報の移動に関わらず、ロゴを表示部の画面の所定位置に固定して表示してもよい。
【００１３】
また、上記課題を解決するために、本発明の別の観点によれば、コンテンツ受信部が放送番組のコンテンツデータを含む放送信号を受信するステップと、メタ情報受信部が放送番組に関するメタ情報を、ネットワークを介して受信するステップと、抽出部がメタ情報から放送番組のロゴに関する情報を抽出するステップと、表示制御部がロゴをロゴに関する情報に基づいて表示部に表示するステップとを有する情報処理方法が提供される。
【００１４】
また、上記課題を解決するために、本発明の別の観点によれば、放送番組のコンテンツデータを含む放送信号を受信する手段、放送番組に関するメタ情報を、ネットワークを介して受信する手段、メタ情報から放送番組のロゴに関する情報を抽出する手段、ロゴをロゴに関する情報に基づいて表示部に表示する手段としてコンピュータを機能させるためのプログラムが提供される。
【発明の効果】
【００１５】
本発明によれば、放送番組のロゴによって、利用者に対して画面上で放送番組を迅速かつ容易に認識させることができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
まず、図１を参照して、本発明の一実施形態に係る番組情報提供システムの構成について説明する。図１は、本実施形態に係る番組情報提供システムの構成を示す説明図である。
本実施形態に係る番組情報提供システムは、インターネットなどのネットワーク１０に接続されたサーバ装置１０２と、ネットワーク１０に接続され、かつ放送信号を受信する記録再生装置１０３、セットトップボックス１０６、テレビジョン受像機１０７などの複数の端末装置からなる。番組情報提供システムによれば、各端末装置は、放送信号による放送番組の受信だけでなく、放送番組に関する情報（ＥＣＧ：Electronic  Content  Guide）を受信することができる。
【００１８】
サーバ装置１０２は、例えば、ＣＰＵと、メモリと、ストレージと、入出力Ｉ／Ｆと、通信Ｉ／Ｆと、表示部などを有し、サーバ機能を備えたコンピュータ装置などで構成される。
【００１９】
ＣＰＵ（Central  Processing  Unit）は、プログラムによって演算処理装置及び制御装置として機能し、サーバ装置１０２内に設けられた各構成要素の処理を制御することができる。メモリは、例えば、ＲＡＭ（Random  Access  Memory）、ＲＯＭ（Read  Only  Memory）、キャッシュメモリなどの記憶部で構成されており、ＣＰＵの処理に関するデータ、ＣＰＵの動作プログラムなどを一時的に記憶する機能を有する。ストレージは、例えば、ＨＤＤ（ハードディスクドライブ）、フラッシュメモリなどで構成されており、データを長期に亘って格納するための記憶部である。ストレージは、利用者情報、プログラムなどのデータを記録することができる。
【００２０】
入出力Ｉ／Ｆ（インターフェース）は、例えば、マウス、キーボード、タッチパネル、ボタン、スイッチ、レバーなどの操作部と、入力信号を生成しＣＰＵに出力する入力制御部等から構成される。例えば、サーバ装置１０２の管理者は、入出力Ｉ／Ｆの操作部を操作することによって、サーバ装置１０２内にデータを入力したり、サーバ装置１０２の処理動作を指示したりすることができる。通信Ｉ／Ｆは、例えば、通信回線、通信回路、通信デバイスなどで構成されている。通信Ｉ／Ｆは、サーバ装置１０２と各端末装置との間で、コンピュータ・ネットワークを介して、データを送受信することができる。
【００２１】
表示部は、例えば、液晶ディスプレイ（ＬＣＤ）装置、ＣＲＴディスプレイ装置、ランプなどの映像信号を表示する表示装置と、スピーカなどの音声信号を出力する音声出力装置などからなる。例えば、サーバ装置１０２の管理者は、入出力Ｉ／Ｆで行った操作の結果などを、表示部を介して確認することができる。
【００２２】
サーバ装置１０２は、端末装置がコンテンツ配信サービスの利用可能条件を満たしているかの認証や、コンテンツ配信サービスによって利用できるコンテンツ内容のナビゲーション情報などを端末装置に提供する。サーバ装置１０２は、端末装置からの要求を受信して、ネットワーク１０を介して、端末装置にデータを送信する。
【００２３】
サーバ装置１０２は、ストレージにコンテンツデータ、例えば、映画、音楽、スポーツ、ソフトウェアなどのデータを記憶しており、端末装置からの要求に応じて、端末装置にコンテンツデータを送信する。サーバ装置１０２は、例えば、映画、スポーツなどの映像コンテンツを送信する場合、コンテンツデータをＭＰＥＧ−２、ＭＰＥＧ−４、又はＱｕｉｃｋＴｉｍｅ方式等に符号化し、端末装置に送信する。なお、符号化方式は、上記の例に限定されない。
【００２４】
サーバ装置１０２は、コンテンツに関するメタデータをストレージに記憶しており、端末装置が要求するコンテンツに対応したメタデータを端末装置に送信する。ここでメタデータとは、コンテンツのタイトル、作成日時、出演者、あらすじ、ジャンル、配信可能期間などのコンテンツに関するデータである。
【００２５】
記録再生装置１０３は、例えば、ハードディスク、ブルーレイディスクなどの記録媒体に放送番組などのコンテンツを記録し、記録媒体に記録されたコンテンツを再生するいわゆるビデオレコーダである。
【００２６】
記録再生装置１０３は、コンテンツデータの送信要求を、ネットワーク１０を介してサーバ装置１０２に送信する。記録再生装置１０３は、サーバ装置１０２からコンテンツデータ、メタデータなどを受信する。記録再生装置１０３は、表示装置１０５と接続され、表示装置１０５にコンテンツやＧＵＩ（Graphical  User  Interface）、ＥＣＧ（Electronic  Content  Guide）を表示させるための制御を行う。
【００２７】
ＧＵＩは、予約可能な番組や記録された番組などについて、利用者が操作しやすいように配置した画面を提供する。ＥＣＧは、メタデータを用いて、サーバ装置１０２からダウンロード可能なコンテンツの一覧、放送信号で受信可能な放送番組の一覧、各コンテンツの詳細情報などの各種情報を提供する。
【００２８】
表示装置１０５は、例えば、コンピュータ端末のディスプレイ装置、テレビジョン受像機などであり、例えば、液晶ディスプレイ（ＬＣＤ）装置、プラズマディスプレイ装置、ＣＲＴディスプレイ装置などの映像信号を表示する表示装置と、スピーカなどの音声信号を出力する音声出力装置などからなる。
【００２９】
表示装置１０５は、記録再生装置１０３と接続され、記録再生装置１０３からデータを受信して、コンテンツに関する映像や音声を再生したり、ＧＵＩ画面、ＥＣＧ画面を表示したりする。記録再生装置１０３と表示装置１０５との間は、ＨＤＭＩ（High-Definition  Multimedia  Interface）などのインターフェースによって、映像信号、音声信号、制御信号が送受信される。
【００３０】
次に、図２を参照して、端末装置としての記録再生装置１０３について詳細に説明する。図２は、本実施形態に係る記録再生装置１０３を示すブロック図である。
記録再生装置１０３は、図２に示すように、チューナ１１２と、通信処理部１１４と、デコーダ１１６と、映像信号処理部１１８と、表示処理部１２０と、制御部１２２と、ストレージ１２４と、メモリ１２６などを有する。
【００３１】
チューナ１１２は、コンテンツ受信部の一例であり、例えば、コンテンツデータを含むデジタル放送（ＢＳ、ＣＳ、地上波）等の放送信号を受信し、記録再生装置１０３のデコーダ１１６に出力する。チューナ１１２は、アンテナ１０４、放送Ｉ／Ｆ（インターフェース）１３２を介してデジタル放送の放送信号を受信する。チューナ１１２が記録再生装置１０３に設けられることによって、ＩＰ放送によるコンテンツと共に、アンテナ１０４を介して受信する放送番組を視聴することができる。
【００３２】
通信処理部１１４は、ネットワークプロトコルを使用して通信制御を行う。通信処理部１１４は、通信Ｉ／Ｆ１３４を介して、コンテンツやコンテンツに関するメタデータ（ＥＣＧ情報）を受信し、記録再生装置１０３のデコーダ１１６に出力する。通信処理部１１４は、メタ情報受信部の一例である。
【００３３】
デコーダ１１６は、例えば、暗号化処理されて受信された伝送データやコンテンツデータの復号処理を行う。また、デコーダ１１６は、デスクランブラとデクリプタを含むとしてもよい。また、デコーダ１１６は、デマルチプレクサ処理を行う。デコーダ１１６は、受信したデータから映像、音声、字幕、ＰＳＩ(Program  Specific  Information)／ＳＩ（Service  Information）などの信号に分離する。さらに、デコーダ１１６は、デマルチプレクサ処理を行った信号を復号処理する。デコーダ１１６には、映像データを復号する映像デコーダ、音声データを復号する音声デコーダ、字幕データを復号する字幕データ等がある。
【００３４】
映像信号処理部１１８は、デコーダ１１６から映像信号を受けて、映像信号処理をする。映像信号処理部１１８は、入力された映像信号について、走査線補完、画素数を外部の表示装置１０５の表示パネルの画素数に変換する解像度変換、輝度補正、色補正、ガンマ補正など各種所要の信号処理を実行する。上記の各処理はハードウェアで実装され、外部からの制御信号に応じてパラメータが設定される。
【００３５】
映像信号処理部１１８は、走査線補完処理を飛ばしてもよい。例えば、入カ信号がインターレース信号の場合、走査線補完を行ない、入カ信号がプログレッシブ信号の場合は走査線補完処理を行わない。映像信号処理部１１８から出力された映像信号は、表示処理部１２０に出力される。
【００３６】
表示処理部１２０は、入力された映像信号を利用して表示装置１０５を駆動する。これによって、表示装置１０５の表示画面には、映像信号に応じた画像が表示される。表示処理部１２０は、映像信号処理部１１８から受けた映像信号の再生処理をする。また、表示処理部１２０は、ＥＣＧ、ＥＰＧ（Electronic  Program  Guide）、ブラウザなどの表示データの合成処理をして、表示装置１０５で利用者が視聴可能となるデータを生成する。表示処理部１２０で生成されたデータは、映像音声出力Ｉ／Ｆ１３６を介して、表示装置１０５に出力される。表示処理部１２０は、表示制御部の一例である。
【００３７】
なお、記録再生装置１０３は、映像信号と共に音声信号も再生出力可能であるが、ここでは、音声再生系についての図示及びその説明は省略する。
【００３８】
制御部１２２は、例えばＣＰＵ（Central  Processing  Unit）、ＲＯＭ、ＲＡＭなどが組み合わされて構成されるマイクロコンピュータなどを有する。制御部１２２は、プログラムによって演算処理装置及び制御装置として機能し、記録再生装置１０３における上記各構成要素などを制御する。例えば、制御部１２２は、スクランブルがかけられて放送されてきた映像信号がデコーダ１１６に入力される場合、このスクランブルを解除するための信号処理について制御する。
【００３９】
また、制御部１２２は、入力映像信号について、標準解像度（ＳＤ：Standard  Definition）とハイビジョンなどの高画質解像度（ＨＤ：High  Definition）といった方式の違いに適合した信号処理について制御する。また、制御部１２２は、例えば映像ソース選択の操作などに応じて、放送信号によるソースを表示させるときと、ネットワーク１０からの信号によるソースを表示させるときとで、デコーダ１１６の切り換えを制御する。また、制御部１２２は、映像信号、音声信号などをストレージ１２４に出力して、ストレージ１２４にデータを保存する。
【００４０】
制御部１２２は、例えば、抽出部１４１と、書込み部１４２と、読出し部１４３などを有する。抽出部１４１は、放送番組に関する情報（ＥＣＧ情報）からロゴに関する情報、例えばロゴデータ、ロゴの属性情報を抽出する。書込み部１４２は、抽出したロゴデータ、ロゴの属性情報を例えばストレージ１２４に書込む。そして、読出し部１４３は、後述するとおりロゴを表示装置１０５の画面に表示する際、ストレージ１２４に記録されたロゴデータやロゴの属性情報をストレージ１２４から読み出す。
【００４１】
ストレージ１２４は、記録再生装置１０３が受信したコンテンツデータや放送番組のデータを、制御部１２２におけるダウンロード制御処理、蓄積制御処理を経て記録する。ストレージ１２４は、例えば、ハードディスク、光ディスク、フラッシュメモリなどであり、データを長期に亘って格納するための記憶部である。
【００４２】
メモリ１２６は、例えば、ＲＡＭ（Random  Access  Memory）、ＲＯＭ（Read  Only  Memory）、キャッシュメモリなどの記憶部で構成されており、制御部１２２のＣＰＵの処理に関するデータ、ＣＰＵの動作プログラムなどを一時的に記憶する機能を有する。
【００４３】
入出力Ｉ／Ｆ１３８は、例えば、マウス、キーボード、タッチパネル、ボタン、スイッチ、レバーなどの操作部と、入力信号を生成し制御部１２２に出力する入力制御部等から構成される。例えば、利用者は、入出力Ｉ／Ｆ１３８の操作部を操作することによって、端末装置内にデータを入力したり、端末装置の処理動作を指示したりすることができる。
【００４４】
次に、本実施形態の記録再生装置１０３が表示装置１０５に表示する番組情報等の表示方法について説明する。本実施形態の記録再生装置１０３は、まず、放送番組毎の番組情報（番組ＩＤ）を含むＥＰＧ情報を受信する。次に、記録再生装置１０３は、利用者の操作などによって選択された番組について、番組に対応した番組ＩＤを管理サーバ１０２に送る。管理サーバ１０２は、記録再生装置１０３から番組ＩＤを受けて、番組ＩＤに該当するＥＣＧ情報を記録再生装置１０３に送る。
【００４５】
その結果、記録再生装置１０３は、放送番組に関するＥＣＧ情報を取得でき、ＥＰＧ情報とともに、ＥＣＧ情報に基づいて放送番組の内容の説明など詳細な番組情報を表示装置１０５に表示することができる。本実施形態では、ＥＣＧ情報に放送番組のロゴに関する情報（ロゴデータ）が含まれるとき、記録再生装置１０３は、表示装置１０５の画面表示において、ロゴデータの属性に従って、放送番組のロゴを表示することができる。例えば、記録再生装置１０３は、後述するとおり、録画タイトルリスト、予約番組リスト、番組説明、番組表などにロゴを表示する。
【００４６】
放送番組のロゴとは、放送番組の番組名（タイトル）を表示する文字をデザイン化したものであり、放送番組を提供する放送局が作成して、ＥＣＧ情報として放送番組の他の情報とともに配信可能である。ロゴが録画タイトルリスト、予約番組リスト、番組説明、番組表などに表示されることで、番組名が文字で表示される場合に比べて、番組の識別のしやすさを向上させることができる。また、放送番組のイメージや印象を利用者に伝達することができる。
【００４７】
次に、ＥＣＧ情報に含まれるロゴデータに関する属性について説明する。ＥＣＧ情報には、ロゴに関する情報であるロゴデータの属性が含まれる。ロゴデータの属性は、例えば、（１）ロゴデータの有無、（２）ロゴデータのデータ形式、（３）ロゴデータ、（４）ロゴデータのサイズ、（５）ロゴのアスペクト比、（６）アスペクト比保持規則、（７）ロゴの背景色指定の有無、（８）指定された背景色等である。
【００４８】
「ロゴデータの有無」とは、放送局が放送番組のロゴをＥＣＧ情報として配信しているか否かという情報である。「ロゴデータの形式」とは、画像情報であるロゴデータのファイルフォーマットであり、例えば、ＪＰＥＧ、ＰＮＧ、ＧＩＦなどの形式である。また、「ロゴデータ」とは、ロゴの画像データの内容（実体）である。ロゴデータのサイズとは、ロゴデータのファイルサイズであり、例えば単位がバイトで表現される。
【００４９】
「ロゴのアスペクト比」とは、例えばロゴの本来の横：縦の比であり、例えば、４：３、１６：９、３：２、１：１などで表現される。なお、アスペクト比は、例えば縦の長さを１として横の長さを正規化して表現してもよい。「アスペクト比保持規則」とは、表示装置１０５にロゴを表示するとき、ロゴ本来のアスペクト比を保持して表示しなければならないか否かという情報である。ロゴのアスペクト比は固定にすべきである、又は可変としてもよいという指示は、例えば、ロゴを配信する放送局がロゴの見た目や番組の印象などに応じて決定する。
【００５０】
「背景色の指定の有無」は、ロゴの周囲に表示する背景の色を指定するか否かという情報である。背景色を指定するという指示は、例えば、ロゴを配信する放送局がロゴ自身の色や番組の印象などに応じて決定する。「指定された背景色」は、背景色を指定するときの色の情報であり、例えば、ＲＧＢ（８bit×３）や、透明、半透明などの色情報を含む。
【００５１】
次に、図３〜図９を参照して、放送番組の番組説明の画面表示を例にロゴの表示方法について説明する。図３〜図９は、本実施形態に係る記録再生装置１０３によって表示された番組説明画面１５０を示す説明図である。
【００５２】
図３は、アスペクト比保持規則が、アスペクト比は「固定」して表示すべきであるという属性であったときの画面を示す例である。一方、図４は、アスペクト比保持規則が、アスペクト比は「可変」としてもよいという属性であったときの画面を示す例である。
【００５３】
図３及び図４の番組説明画面１５０には、放送番組の詳細を説明する番組説明文１５４と、その放送番組のロゴ１６０（又は２６０）が表示されている。番組説明文１５４は、ＥＣＧとＥＰＧによって取得され、ロゴ１６０（又は２６０）は、ＥＣＧによって取得される。
【００５４】
放送局の指示などによって、アスペクト比保持規則が「固定」である場合、記録再生装置１０３は、属性情報に含まれるアスペクト比どおりに取得したロゴデータを番組説明画面１５０に表示する。例えば、アスペクト比（横：縦）＝Ｗ：Ｌであるとき、番組説明画面１５０上にロゴ１６０は、図３に示すように横の長さＷ１＝ｎＷ、縦の長さＬ１＝ｍＬ（ｍ＝ｎ）として表示される。これにより、ロゴ１６０は、本来（オリジナル）のアスペクト比で番組説明画面１５０上に表示される。
【００５５】
一方、アスペクト比保持規則が「可変」である場合、記録再生装置１０３は、番組説明画面１５０の所定の位置に所定のアスペクト比で拡大又は縮小をしてロゴデータを表示する。例えば、アスペクト比（横：縦）＝Ｗ：Ｌであるとき、番組説明画面１５０上にロゴ２６０は、図４に示すように横の長さＷ２＝ｎＷ、縦の長さＬ２＝ｍＬ（ｍ≠ｎ）として表示される。これにより、ロゴ２６０は、番組説明画面１５０に合ったサイズで表示される。
【００５６】
また、図５は、背景色の指定が「無し」という属性であったときの画面を示す例である。一方、図３は、背景色の指定が「有り」という属性であったときの画面を示す例である。
【００５７】
図３及び図５の番組説明画面１５０には、放送番組の詳細を説明する番組説明文１５４と、その放送番組のロゴ１６０（又は２６０）が表示されている。図５では、番組説明文１５４は背景色２５２の欄に表示され、図３では、番組説明文１５４は、背景色１５２の欄に表示される。図３及び図５のロゴ１６０は同一であり、ロゴ１６０はデザイン化された文字以外の部分で色１６２を有する。
【００５８】
背景色の指定が「無し」である場合、記録再生装置１０３が、番組説明文１５４の背景色として図５に示すように所定の色２５２を割り当てる。従って、背景色２５２とロゴ１６０の色１６２が同系色であるとロゴ１６０が見づらくおそれがある。また、背景色２５２によっては番組編成者の意図に反した見栄えになるおそれがある。
【００５９】
一方、背景色の指定が「有り」である場合、記録再生装置１０３は、属性情報「背景色」に記述されているＲＧＢ値の色１５２を番組説明文１５４の欄に表示する。その結果、図３に示すように、背景色１５２と、ロゴ１６０の色１６２が異なる指定がされれば、ロゴ１６０は際立って表示され、画面におけるロゴ表示効果を向上させることができる。また、番組編成者は、ロゴ１６０だけでなく背景色１５２を含めて、番組の印象、イメージを視聴者に伝達することができる。
【００６０】
また、図３、図６及び図７を参照して、番組説明画面１５０を縦方向にスクロールする場合の表示方法について説明する。
【００６１】
図３、図６及び図７の番組説明画面１５０には、放送番組の詳細を説明する番組説明文１５４と、その放送番組のロゴ１６０が表示されている。番組説明文１５４は、例えば放送番組の番組名、番組詳細、関連情報などからなる。番組説明文１５４が、表示装置１０５の一画面に表示されるだけでなく、縦（上下）方向又は横（左右）方向に表示がスクロールされて全文が表示される場合がある。
【００６２】
この場合、例えば図３のようにスクロール前の番組説明画面１５０において表示されたロゴ１６０と、番組説明文１５４のレイアウト（配置位置）を維持したまま、表示をスクロールさせると図６に示すようにロゴ１６０を含めた表示全体が上に流れる。その結果、図６に示すようにロゴ１６０が途中で切れた表示になってしまい、放送局や番組編成者の意図に反した表示となる。また、番組説明画面１５０でロゴ１６０を表示させて、番組のイメージを迅速に伝えるという本実施形態の目的を損なう。
【００６３】
そこで、本実施形態では、図７に示すように、番組説明画面１５０において、ロゴ１６０の表示位置を所定の位置に固定し、番組説明文１５４のみをロゴ１６０に重ならないような領域内でのみスクロール処理させる。その結果、番組説明画面１５０の基本的なレイアウトを維持したまま、番組説明文１５４のみが上に流れる。これにより、ロゴ１６０の見た目を維持したまま、最初の画面で隠れている番組説明文１５４を表示させることができる。また、ロゴ１６０全体が表示されたままになるため、番組説明画面１５０でロゴ１６０を表示させつづけることができ、番組のイメージを迅速に伝えることができる。ＥＣＧ情報に含まれるロゴデータに関する属性に、ロゴのスクロール禁止規則等が含まれるとき、上記のような動作が行われるとしてもよい。
【００６４】
また、図３、図８及び図９を参照して、番組説明画面１５０を拡大して表示する方法について説明する。番組説明画面１５０が拡大することで、ロゴ１６０や番組説明文１５４の視認性をよくすることができる。
【００６５】
図３、図８及び図９の番組説明画面１５０には、放送番組の詳細を説明する番組説明文１５４と、その放送番組のロゴ１６０が表示されている。
【００６６】
この場合、例えば図３のように拡大前の番組説明画面１５０において表示されたロゴ１６０と、番組説明文１５４のレイアウト（配置位置）を維持したまま、表示を単純に拡大させると図８の番組説明画面１５０のように表示される。このとき、ロゴ３６０は、図３のロゴ１６０のアスペクト比を保持したまま拡大され、番組説明文２５４の文字サイズも図３の番組説明文１５４に比べて拡大されて表示される。しかし、表示の上、下、左又は右の一部分が欠けて表示され、図８の領域Ａに示すように番組説明文２５４の一部が途中で切断されてしまう。その結果、番組説明文２５４の全文を読解することができない。
【００６７】
そこで、本実施形態では、ロゴ３６０を所定の表示位置にアスペクト比を保持して拡大するとき、番組説明文２５４は、文字サイズが大きくされるが、ロゴ３６０の表示領域以外の領域内かつ番組説明画面１５０内で折り返して表示されるようにする。その結果、ロゴ３６０及び番組説明文２５４の見やすさを維持させることができる。また、番組説明文２５４の全文を利用者に提供することができる。
【００６８】
以上、番組説明画面１５０にロゴ１６０（２６０，３６０）を表示させる場合について説明したが、録画タイトルリスト、予約番組リスト、録画タイトル説明画面、番組表、視聴中の番組などにＥＣＧ情報（メタ情報）として取得したロゴを表示させることができる。
【００６９】
図１０は、従来の録画タイトルリスト画面７０を示す説明図である。図１１は、本実施形態に係る記録再生装置１０３によって表示された録画タイトルリスト画面１７０を示す説明図である。図１０及び図１１では、いわゆるクロスメディアバーを使用したユーザーインターフェースで、記録済みの放送番組が一覧表示されている。録画タイトルリスト画面７０では、各カテゴリを表示する複数のアイコン８１〜８８と、記録された番組の一場面がキャプチャされて作成されたサムネイル画像７６と、番組名７８などが表示される。しかし、サムネイル画像７６を表示するため記録された番組の一場面をキャプチャする場合、その番組の特徴的な場面をキャプチャすることができないことが多かった。そのため、記録済みの放送番組を特徴的に示すことができなかった。
【００７０】
一方、本実施形態では、ＥＣＧ情報で取得したロゴデータを使用して、録画タイトルリスト画面１７０を表示する。録画タイトルリスト画面１７０では、各カテゴリを示すアイコン１８１〜１８８と、記録された番組のロゴ１７６と、番組名１７８が表示される。その結果、番組の一場面がキャプチャされて表示される場合に比べて、タイトルリストの一覧性を向上させることができる。
【００７１】
図１２は、本実施形態に係る記録再生装置１０３によって表示された予約番組リスト画面２７０を示す説明図である。予約番組リスト画面２７０では、予約された番組のロゴ２７２と、放送開始時間、番組名２７４などが表示される。従来、予約された番組は、未だ録画されていない番組であるため、録画タイトルリスト画面７０のように番組の一場面をキャプチャしてサムネイル表示することができなかった。そのため、予約された番組は、例えばアイコンでしか表現できなかった。
【００７２】
一方、本実施形態では、予めＥＣＧ情報として、ロゴデータを取得することができるため、番組予約段階でも番組を特徴的に表現しているロゴ２７２を予約番組リスト画面２７０で表示することができる。その結果、アイコンで予約番組が表示される場合に比べて、予約番組のリストの一覧性を向上させることができる。
【００７３】
図１３は、本実施形態に係る記録再生装置１０３によって表示された録画タイトル説明画面３７０を示す説明図である。放送中の番組の情報を表示する番組説明画面は、録画タイトル説明画面３７０とほぼ同様の構成となる。録画タイトル説明画面３７０では、予約可能な番組のロゴ３７２と、番組説明文３７４と、関連ＵＲＬ３７７と、各種操作・設定ボタン３８２，３８４，３８６が表示される。
【００７４】
従来、録画タイトル説明画面では、番組説明文として、番組名、番組詳細、放送局名、放送時間、ジャンルなどの情報のみが表示されていた。一方、本実施形態では、ロゴ３７２が録画タイトル説明画面３７０で表示されるため、利用者はロゴ３７２を見るだけで、番組を認識することができ、文字で表示された番組名を読む必要がない。その結果、本実施形態の記録再生装置１０３は、利用者に対して迅速かつ容易に番組を識別させることができる。
【００７５】
図１４は、本実施形態に係る記録再生装置１０３によって表示された番組表を示す説明図である。番組表４７０では、放送局毎のタイムテーブル上にロゴ４７２が表示される。従来、番組表では、１つの番組につき番組名と番組の簡単な説明が、限られた領域に表示されていた。そのため、番組名や番組の説明が途中で切れてしまい、番組を認識することが困難な場合があった。
【００７６】
一方、本実施形態では、ＥＰＧ情報として予めロゴデータが配信されている番組に対しては、ロゴ４７２が番組表４７０で表示される。その結果、ユーザーの視認性や番組の一覧性を向上させることができる。
【００７７】
ところで、番組表４７０では、１つの番組について表示できる領域は限定されている。図１５は、限定された領域にロゴを表示する方法について示す説明図である。ロゴデータの属性として、アスペクト比保持規則が「固定」である場合、図１５（Ａ）のように、領域４８０−１や領域４８０−２内に、ロゴ４７２−１やロゴ４７２−２を、アスペクト比を保持させたまま表示させる。このとき、ロゴ４７２−１，４７２−２は、領域４８０−１，４８０−２内において、上詰めで表示されてもよいし、センターに表示されてもよい。このとき、領域４８０−１，４８０−２とロゴ４７２−１，４７２−２が一致しなければ、図１５（Ａ）に示すように空白４７３−１，４７３−２が表示される。なお、空白４７３−１，４７３−２に番組の簡単な説明を表示してもよい。
【００７８】
一方、ロゴデータの属性として、アスペクト比保持規則が「可変」である場合、図１５（Ｂ）のように、領域５８０−１内にロゴ５７２−１を拡大して表示させることができる。このように、本実施形態は、図３〜図９を用いて番組説明画面１５０で説明した場合と同様に、番組表、録画タイトルリスト、予約番組リスト、録画タイトル説明画面、次に説明する視聴中の番組において、ロゴデータの属性に基づいて、ロゴを表示する。
【００７９】
図１６は、本実施形態に係る記録再生装置１０３によって表示された視聴中の番組６７０を示す説明図である。視聴中の番組６７０とは、放送中の番組でもよいし、記録されて再生されている番組でもよい。従来、画面に表示された視聴中の番組６７０では、画面の上などに番組名の文字をバナー上に表示しているだけだった。一方、本実施形態では、バナー上に番組名の文字だけでなくロゴ６７６を表示することができる。その結果、利用者に対して、放送中又は再生中の番組の視認性を向上させることができる。
【００８０】
なお、上記では、記録再生装置１０３がロゴデータを取得し、各画面でロゴを表示させる場合について説明したが、他の端末装置でも同様である。本実施形態の他の端末装置であるセットトップボックス１０６と表示装置１０５の組み合わせ、又はテレビジョン受像機１０７単体の場合についても同様にロゴデータの取得、ロゴの表示をすることができる。
【００８１】
上記のとおり、本実施形態によれば、ＥＣＧ情報（メタ情報）として放送番組のロゴを取得し、さらにロゴに関する属性を取得する。そして、属性に基づいてロゴを表示させることで、録画タイトルリスト、予約番組リスト、番組説明、番組表などの各種画面において、番組の視認性や、リストの一覧性を向上させることができる。その結果、利用者は、放送番組を画面上で迅速かつ容易に認識することができる。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【図面の簡単な説明】
【００８３】
【図１】本発明の一実施形態に係る番組情報提供システムの構成を示す説明図である。
【図２】同実施形態に係る記録再生装置を示すブロック図である。
【図３】同実施形態に係る記録再生装置によって表示された番組説明画面を示す説明図である。
【図４】同実施形態に係る記録再生装置によって表示された番組説明画面を示す説明図である。
【図５】同実施形態に係る記録再生装置によって表示された番組説明画面を示す説明図である。
【図６】同実施形態に係る記録再生装置によって表示された番組説明画面を示す説明図である。
【図７】同実施形態に係る記録再生装置によって表示された番組説明画面を示す説明図である。
【図８】同実施形態に係る記録再生装置によって表示された番組説明画面を示す説明図である。
【図９】同実施形態に係る記録再生装置によって表示された番組説明画面を示す説明図である。
【図１０】従来の録画タイトルリスト画面を示す説明図である。
【図１１】同実施形態に係る記録再生装置によって表示された録画タイトルリスト画面を示す説明図である。
【図１２】同実施形態に係る記録再生装置によって表示された予約番組リスト画面を示す説明図である。
【図１３】同実施形態に係る記録再生装置によって表示された録画タイトル説明画面を示す説明図である。
【図１４】同実施形態に係る記録再生装置によって表示された番組表を示す説明図である。
【図１５】限定された領域にロゴを表示する方法について示す説明図である。
【図１６】同実施形態に係る記録再生装置によって表示された視聴中の番組を示す説明図である。
【符号の説明】
【００８４】
１０        ネットワーク
１０２      サーバ装置
１０３      記録再生装置
１０４      アンテナ
１０５      表示装置
１０６      セットトップボックス
１０７      テレビジョン受像機
１１２      チューナ
１１４      通信処理部
１１６      デコーダ
１１８      映像信号処理部
１２０      表示処理部
１２２      制御部
１２４      ストレージ
１２６      メモリ
１４１      抽出部
１４２      書込み部
１４３      読出し部
１５０      番組説明画面
１５２，１６２，２５２      色
１５４，２５４      番組説明文
１６０，１７６，２６０，２７２，３６０，３７２，４７２，６７６      ロゴ
１７０，７０      録画タイトルリスト画面
２７０      予約番組リスト画面
３７０      録画タイトル説明画面
４７０      番組表
６７０      番組
【図１】
2010028547.tif 000003
【図２】
2010028547.tif 000004
【図３】
2010028547.tif 000005
【図４】
2010028547.tif 000006
【図５】
2010028547.tif 000007
【図６】
2010028547.tif 000008
【図７】
2010028547.tif 000009
【図８】
2010028547.tif 000010
【図９】
2010028547.tif 000011
【図１０】
2010028547.tif 000012
【図１１】
2010028547.tif 000013
【図１２】
2010028547.tif 000014
【図１３】
2010028547.tif 000015
【図１４】
2010028547.tif 000016
【図１５】
2010028547.tif 000017
【図１６】
2010028547.tif 000018